(57)【要約】      （修正有）【課題】構造が簡単で、外観の美しさを改善し、安全性を向上することができるカーテンを昇降させるための制御装置を提供する。【解決手段】カーテンを昇降させるための制御装置は、ハウジング１を備え、上記ハウジング内には、電源ユニット４を収容するための第１室２と、駆動ユニット５を収容するための第２室３とが配置されている。第１室と第２室とを設置することにより、電源ユニットと駆動部がハウシング内に収容され、本来露出された電源ユニットがハウジングに収容される。【選択図】図１
0003223337.tif 000002
【実用新案登録請求の範囲】
【請求項１】
カーテンを昇降させるための制御装置であって、
ハウジングを備え、前記ハウジング内には、電源ユニットを収容するための第１室と、駆動ユニットを収容するための第２室とが配置されている、
ことを特徴とするカーテンを昇降させるための制御装置。
【請求項２】
前記ハウジング内に、駆動ユニットの動作を制御するための制御ユニットがさらに配置され、前記制御ユニットは電源ユニットに電気的に接続されている、ことを特徴とする請求項１に記載のカーテンを昇降させるための制御装置。
【請求項３】
前記ハウジングの端部には頭部が設けられ、前記頭部内に、回路基板が装着され、前記回路基板と制御装置とがケーブルで接続されている、ことを特徴とする請求項２に記載のカーテンを昇降させるための制御装置。
【請求項４】
前記回路基板には電源スイッチが設置され、前記頭部には回路基板を覆うカバーが設けられており、前記電源スイッチは前記カバーの表面に露出している、ことを特徴とする請求項３に記載のカーテンを昇降させるための制御装置。
【請求項５】
前記回路基板にはさらに、表示灯と、設定キーと、充電インターフェースと、リモコン信号を受信するためのアンテナとが設置されている、ことを特徴とする請求項４に記載のカーテンを昇降させるための制御装置。
【請求項６】
前記第１室は前記２室の上方に位置している、ことを特徴とする請求項５に記載のカーテンを昇降させるための制御装置。
【請求項７】
前記ハウジングの外側には、カーテンロッドに接続されたスナップ部が設けられている、ことを特徴とする請求項５に記載のカーテンを昇降させるための制御装置。
【考案の詳細な説明】
【技術分野】
【０００１】
本考案は、カーテン付属品の技術分野に関し、特に、カーテンを昇降させるための制御装置に関する。
【背景技術】
【０００２】
ブラインドは通常、ラムによって窓の上端に装着され、ロープやレバーにより手動でカーテンを開閉している。一般に、伝統的なカーテンは手動で開閉することが多く、面倒であり、且つカーテンの側に位置して操作されなければならない。一方で、現在のカーテンはますます電気駆動することに傾いており、かつカーテンから離れた位置に立って遠隔制御によってカーテンの開閉を制御することができ、省力で便利である。カーテンロッドには、遠隔制御で送信した信号を受信する制御装置が装着され、当該制御装置は、筐体、駆動部、電源部、制御部、回路基板などを有し、回路基板には、リモコン信号を受信するためのアンテナが配置され、アンテナで受信した信号が制御部にフィードバックされ、制御部はカーテンを開閉するように駆動部の作動を制御する。
【０００３】
しかしながら、現在のブラインドの構造的制限のために、エジェクタの内部空間は小さく、エジェクタピンに取り付けられたロープアセンブリが大きなスペースを占め、制御装置を収容するためのスペースが限られている。一般的には、制御装置の電源部は、制御装置およびエジェクタピンの外側に露出している、すなわち、電源部は、エジェクタピンの外側に吊り下げられて露出している。それは美しくも安全でもない。
【考案の概要】
【考案が解決しようとする課題】
【０００４】
上記の従来技術の現状を鑑みて本考案が解決しようとする技術的課題は、電源ユニットを制御ユニットのハウジングに収納することができ、小型で安全性が優れたカーテンを昇降させるための制御装置を提供することである。
【課題を解決するための手段】
【０００５】
本考案が前記技術課題を解決するために、下記技術案を採用する。即ち、カーテンを昇降させるための制御装置は、ハウジングを備え、前記ハウジング内には、電源ユニットを収容するための第１室と、駆動ユニットを収容するための第２室とが配置されている。
【０００６】
また、前記ハウジング内に、駆動ユニットの動作を制御するための制御ユニットがさらに配置され、前記制御ユニットは電源ユニットに電気的に接続されていることが望ましい。
【０００７】
また、前記ハウジングの端部には頭部が設けられ、前記頭部内に、回路基板がに装着され、前記回路基板と制御装置とがケーブルで接続されていることが望ましい。
【０００８】
また、前記回路基板には電源スイッチが設置され、前記頭部には回路基板を覆うカバーが設けられており、前記電源スイッチは前記カバーの表面に露出していることが望ましい。
【０００９】
また、前記回路基板にはさらに、表示灯と、設定キーと、充電インターフェースと、リモコン信号を受信するためのアンテナとが設置されていることが望ましい。
また、前記第１室は前記２室の上方に位置していることが望ましい。
また、前記ハウジングの外側には、カーテンロッドに接続されたスナップ部が設けられていることが望ましい。
【考案の効果】
【００１０】
従来技術と比較して、本考案の利点は以下の通りである。本考案は、第１室と第２室とを設定することにより、電源ユニットと駆動部がハウシング内に収容され、本来露出された電源ユニットがハウジングに収容された。これにより、構造が簡単できちんとし、外観の美しさが改善するだけでなく、安全性も改善することを実現できる。
【図面の簡単な説明】
【００１１】
【図１】は、本考案の分解図である。
【図２】は、本考案の構造の概略図である。
【図３】は、本考案の装着の概略図である。
【考案を実施するための形態】
【００１２】
図１−図３が示しているように、カーテンを昇降させるための制御装置は、ハウジング１を備え、前記ハウジング２内には、電源ユニット４を収容するための第１室２と、駆動ユニット５を収容するための第２室３とが配置されている。また、好ましくは、電源装置４はリチウム電池であり、駆動装置５はモータと減速機構とを含み、モータは減速機構に接続され、減速機構の出力軸はハウジング１から延出してカーテンの引き抜き機構に接続されることにより、ウィンドウカバーの開閉を制御する。
【００１３】
本考案は、第１室２と第２室３とを設置することにより、電源ユニット４と駆動部５がハウシング１内に収容され、本来露出された電源ユニット４がハウジング１に収容された。これにより、構造が簡単できちんとし、外観の美しさが改善するだけでなく、安全性も改善した。
【００１４】
前記ハウジング１内に、駆動ユニット５の動作を制御するための制御ユニット８がさらに配置され、前記制御ユニット８は電源ユニット４に電気的に接続されている。また、前記ハウジング１の端部には頭部６が設けられ、前記頭部６内に、回路基板７がに装着され、前記回路基板７と制御装置８とがケーブルで接続され、回路基板７には、ケーブルを接続するためのケーブルインターフェース１８が設けられている。また、前記回路基板７には電源スイッチ９が設置され、前記頭部６には回路基板７を覆うカバー１０が設けられており、前記電源スイッチ９は前記カバー１０の表面に露出している。電源スイッチ９を設置することにより、人々が電源をオン／オフすることに便利で、それによって電力を節約できる。一般的には、制御装置は製造後、倉庫に保管されており、電源が投入された場合、制御部８は待機状態となり、電力を消費することになり、制御装置が販売されずに、電力が切れてしまう。一方で、電源スイッチ９を設置することにより、制御装置が保管および輸送中に閉状態にされ、電力を節約することができ、且つ、販売および組み立ての後、電源を投入することにより制御装置が正常に作動できることを保証できる。前記回路基板７には、さらに、表示灯１１、設定キー１２、充電インターフェース１３、およびリモコン信号を受信するためのアンテナ１４が設けられている。表示灯１１は、ユーザによって制御装置が作動中であることを認識するように、導光コラム１６により光をヘッド６に出射する。設定キー１２は、ユーザによってデバッグを容易にするように、駆動ユニット５を手動でデバッグする。充電インターフェース１３は、電源ユニット４を充電するように、充電ラインに接続される。アンテナ１４は、ヘッド６に組み込まれ、これにより、制御装置の外観をより美しくし、全体の構造はより簡潔で、きちんとしている。
【００１５】
第１室２は、第２室３の上方に位置している。これにより、ハウジング１の長さが増大しないことが保証でき、かつ、制御装置がジャック１７に取り付けられた他の部品を妨げないように電源ユニット４をハウジング１内に収容することができる。
【００１６】
ケーシング１の外側には、カーテンラム１７に接続されたスナップ部１５が設けられている。また、係合部１５は、数量が２つであり、左右両側が筐体１の底部に対称に配置されていることが好ましい。これにより、制御装置がジャック１７に挿入されると、位置制限という役割を果たすことができ、制御装置がジャック１７の内部で左右にスライドすることを防止できる。
【００１７】
使用時には、組み立てられた制御装置をジャックに挿入し、駆動部５の出力軸をカーテンの線引き機構に接続し、リモコンによりアンテナ１４に信号を送信し、アンテナ１４は受信した信号を制御部８に転送し、制御部８は駆動部５の作動を制御することにより、カーテンを引いて開閉し、電気的制御を実現する。
【００１８】
最後に、説明することは、上記の実施形態が、本考案の技術案を例示するために使用されているだけであり、それに限定されないであり、本考案を上記の実施形態を参照して詳細に説明したが、当業者は、上記の実施形態に記載された技術案を変更するか、または一部の技術構成を等しく置き換えることができ、且つこのような変更および置き換えは、本考案の実施形態の技術案の構想および技術範囲から逸脱しないことを理解すべきである。
【符号の説明】
【００１９】
１  ハウジング
２  第１室
３  第２室
４  電源ユニット
５  駆動ユニット
６  ヘッド
７  回路基板
８  制御ユニット
９  電源スイッチ
１０  カバー
１１  表示灯
１２  設定キー
１３  充電インターフェイス
１４  アンテナ
１５  カードコネクタ
１６  ライトガイド
１７  イジェクタピン
１８  ケーブルコネクタ
【図１】
0003223337.tif 000003
【図２】
0003223337.tif 000004
【図３】
0003223337.tif 000005